(57)【要約】  【課題】商品陳列棚から取り外した棚フェンスや商品仕切り用ワイヤーを、当該冷温蔵用ショーケースの所定位置に収納することができ、また、予備の棚フェンスや商品仕切り用ワイヤーの収納場所としても利用できる収納部を備えた冷温蔵用ショーケースを提供する。  【解決手段】冷温蔵用ショーケース１の商品陳列棚１１に装着されている棚フェンス１５や商品仕切り用ワイヤー１６を収納可能な収納部１７を最下段の商品陳列棚の前端部下方で、冷気吸込口７の後部に設けられているデッキ部１４に設け、さらに、収納部の上部開口に着脱可能なカバー１８を設ける。【選択図】図１
2007295992.tif 000002
【特許請求の範囲】
【請求項１】
陳列商品を加温するためのヒータを備えた複数の商品陳列棚を有する商品貯蔵室と、当該商品貯蔵室の背面側に背面板を介して設けられた冷気循環ダクトと、前記背面板の所定位置に複数設けられ、前記商品貯蔵室と前記冷気循環ダクトとを連通する開口部と、該開口部からの冷気を商品陳列棚の下面に沿って前方に吹出す棚下ダクトと、前記商品貯蔵室の下部前方に設けられた冷気吸込口とを備えた冷温蔵用ショーケースにおいて、前記商品陳列棚に装着されている少なくとも棚フェンス及び商品仕切り用ワイヤーを収納可能な収納部を最下段の商品陳列棚の前端部下方で、前記冷気吸込口の後部のデッキ部に設けたことを特徴とする冷温蔵用ショーケース。
【請求項２】
前記収納部は、その上部開口に着脱可能なカバーを備えていることを特徴とする請求項１記載の冷温蔵用ショーケース。
【発明の詳細な説明】
【技術分野】
【０００１】
本発明は、冷温蔵用ショーケースに関し、特に、商品陳列棚に装着されている棚フェンス及び商品仕切り用ワイヤーを収納するための収納部を有する冷温蔵用ショーケースに関する。
【背景技術】
【０００２】
従来から、スーパーマーケットやコンビニエンスストア等の食品売場で、ペットボトル飲料や缶飲料を加温状態及び冷蔵状態で同時に陳列販売するために、ショーケース本体に設けられた商品貯蔵室内の複数段の陳列棚の上部側を温蔵用陳列部として使用可能とした冷温蔵用ショーケースが用いられている。
この種のショーケースは、一般的に、商品貯蔵室の背面板の冷気吹出口にダンパーを設け、該ダンパーにより冷気吹出口を開閉することにより吹出し位置を変更可能とし、吹出位置より下方を冷蔵状態とし、吹出位置より上方の陳列棚では、各陳列棚に設けたヒータを作動させることによって商品を加温するようにしている（例えば、特許文献１参照）。
【特許文献１】特開２００４−０１２０２１号公報
【発明の開示】
【発明が解決しようとする課題】
【０００３】
このような冷温蔵用ショーケースでは、商品陳列棚に陳列する商品の形態に応じて棚前端に棚フェンスを装着したり、異なる商品を区画するための商品仕切り用ワイヤーを装着したりしている。
この棚フェンスや商品仕切り用ワイヤーは、商品陳列棚を清掃したり、商品の入れ替えなどを行う際に、一時的に商品陳列棚から取り外すようにしている。
【０００４】
本発明は、商品陳列棚から取り外した棚フェンスや商品仕切り用ワイヤーを、当該冷温蔵用ショーケースの所定位置に収納することができ、また、予備の棚フェンスや商品仕切り用ワイヤーの収納場所としても利用できる収納部を備えた冷温蔵用ショーケースを提供することを目的とする。
【課題を解決するための手段】
【０００５】
上記の課題を解決するため本発明は、陳列商品を加温するためのヒータを備えた複数の商品陳列棚を有する商品貯蔵室と、当該商品貯蔵室の背面側に背面板を介して設けられた冷気循環ダクトと、前記背面板の所定位置に複数設けられ、前記商品貯蔵室と前記冷気循環ダクトとを連通する開口部と、該開口部からの冷気を商品陳列棚の下面に沿って前方に吹出す棚下ダクトと、前記商品貯蔵室の下部前方に設けられた冷気吸込口とを備えた冷温蔵用ショーケースにおいて、前記商品陳列棚に装着されている少なくとも棚フェンス及び商品仕切り用ワイヤーを収納可能な収納部を最下段の商品陳列棚の前端部下方で、前記冷気吸込口の後部のデッキ部に設けたことを特徴とし、さらに、前記収納部は、その上部開口に着脱可能なカバーを備えていることを特徴とする。
【発明の効果】
【０００６】
本発明の冷温蔵用ショーケースによれば、商品陳列棚から取り外した棚フェンスや商品仕切り用ワイヤー、あるいはこれらの予備品を収納部に収納しておくことができる。特に、収納部を最下段の商品陳列棚の前端部下方で、冷気吸込口の後部のデッキ部に設けたことにより、最下段の商品陳列棚を移動させたり、最下段の商品陳列棚に陳列した商品を移動させることなく、棚フェンスや商品仕切り用ワイヤーを出し入れすることができる。また、着脱可能なカバーを設けることにより、見栄えを損なうことがなくなる。
【発明を実施するための最良の形態】
【０００７】
以下、本発明の一実施の形態について、図面に基づき説明する。
図１は本発明の一実施の形態に係る冷温蔵用ショーケース全体の概略構成を示す断面側面図であり、図２は本実施の形態に係る冷温蔵用ショーケースにおける収納部を拡大して示す要部の断面側面図であり、図３は収納部の組付状態を示す分解斜視図である。
【０００８】
本実施の形態に係る冷温蔵用ショーケース１は、図１に示すように、断熱材により構成されたケーシング２が一体形成されており、ケーシング２内部には、前面が開口した断面視略コ字状の商品貯蔵室３が内部パネル４により構成されている。
ケーシング２と内部パネル４との間には、冷気循環ダクト５が形成されており、冷温蔵用ショーケース１の上側前端部には、冷気循環ダクト５内を循環する冷気の吹出口６が設けられ、下側前端部には、商品貯蔵室３の前面に吹出された冷気の吸込口７が設けられている。冷気循環ダクト５内には、冷気循環用ファン８と、冷却器９とが配設されている。
ショーケース１の上部には、コントロールボックス１０が設けられており、コントロールボックス１０には、運転切換スイッチ、棚ヒータスイッチ等の複数のスイッチや制御回路が設けられている。
【０００９】
商品貯蔵室３内には、背面板の所定位置に複数の商品陳列棚１１が取り付けられており、棚下面には商品貯蔵室３と前記冷気循環ダクト５とを冷温切換可能とする棚下ダクト１２が設けられ、棚下部ダクト１２の前端には、冷気を商品貯蔵室３の前面に向けてエアカーテン状に吹出すための棚下部吹出口１３が設けられている。
そして、図２に詳細を示すように、最下段の商品陳列棚１１の前端部下方で、前記吸込口７の後部のデッキ部１４には、商品陳列棚１１に装着されている棚フェンス１５や商品仕切り用ワイヤー１６を収納するための収納部１７が設けられている。また、この収納部１７の上部開口を覆うカバー１８が着脱可能に設けられている。これら収納部１７やカバー１８の組付けは、図３に詳細を示すように、ショーケース本体の両側エンドフレーム間に架設されたデッキ部１４を構成するデッキ下レール１９と下側エンドフレーム２０の上端２０ａに、収納部１７を載置するとともに、その上に、カバー１８を載置することにより行なっている。したがって、何ら面倒な固定手段を採ることもなく、これら収納部１７とカバー１８の組付けを行うことができ、非常に便利である。
【００１０】
収納部１７を形成する部材は、平板を折り曲げて棚フェンス１５を収納するための深底部１７ａと（図では予備の棚フェンス１５の収納状態を示している）、商品仕切り用ワイヤー１６を収納するための浅底部１７ｂとを形成すると共に、これらの両端部にそれぞれ固着された端板１７ｃを有している。
収納部１７の幅寸法や奥行き寸法、深底部１７ａや浅底部１７ｂの深さは、収納する棚フェンス１５及び商品仕切り用ワイヤー１６の形状、寸法に応じて設定されている。また、商品名や価格を表示する表示板等も収納可能に形成することができる。
【００１１】
カバー１８は、収納部１７の上部開口の形状に対応した形状を有するもので、平板を所定形状に屈曲させて形成されている。このカバー１８と収納部１７の上部開口とには、両者を着脱可能に固定するためのマグネットや係合爪等の固定手段が設けられており、確実に所定位置に装着固定でき、容易に着脱できるようにしている。
【００１２】
なお、前記収納部１７は、デッキ部１２の全幅にわたって設けることもできるが、棚フェンス１５や商品仕切り用ワイヤー１６の長さに合わせた幅寸法を有する収納部１７を複数箇所に分割して配置することもできる。また、複数配置する場合は、棚フェンス１５を収納する収納部と、商品仕切り用ワイヤー１６を収納する収納部とに区分けすることも可能である。
【００１３】
このように、冷温蔵用ショーケース１の商品陳列棚１１に装着されている棚フェンス１５や商品仕切り用ワイヤー１６等の部品を、商品陳列棚１１の清掃時や陳列商品の入替時に取り外したときに、当該冷温蔵用ショーケース１に設けた収納部１７に収納しておくことができるので、清掃や入替作業を効率よく行うことができると共に、これらの部品を紛失したりすることもなくなり、床面に落下させて破損させてしまうおそれも少なくなる。
さらに、商品陳列棚１１の後部、内部パネル４の部分に部品収納部を設けた場合には、商品陳列棚１１を移動させたり、該商品陳列棚１１の商品を移動させなければならないが、吸込口７後部のデッキ部１２前端部分に収納部１７を設けたことにより、棚フェンス１５や商品仕切り用ワイヤー１６等の部品を収納部１７に収納したり、取り出したりするときに、最下段の商品陳列棚１１を移動させたり、最下段の商品陳列棚１１に陳列した商品を他の場所に移動させる必要がないため、棚フェンス１５や商品仕切り用ワイヤー１６等の部品の出し入れを容易に行うことができ、移動時の落下等による商品の破損もなくなり、作業性を大幅に向上させることができる。
【００１４】
また、収納部１７の上部開口を覆うカバー１８を設けておくことにより、棚フェンス１５や商品仕切り用ワイヤー１６等の予備品を収納した場合でも、予備品が購買客の目に触れることがなく、カバー１８の形状や色調をデッキ部１２に合わせることにより、美観を損なうこともない。
【図面の簡単な説明】
【００１５】
【図１】本発明の一実施の形態に係る冷温蔵用ショーケースの概略構成を示す断面側面図である。
【図２】本実施の形態に係る冷温蔵用ショーケースにおける収納部を拡大して示す要部の断面側面図である。
【図３】収納部の組付状態を示す分解斜視図である。
【符号の説明】
【００１６】
１    冷温蔵用ショーケース
２    ケーシング
３    商品貯蔵室
４    内部パネル
５    冷気循環ダクト
６    吹出口
７    吸込口
８    冷気循環用ファン
９    冷却器
１０    コントロールボックス
１１    商品陳列棚
１２    棚下ダクト
１３    棚下部吹出口
１４    デッキ部
１５    棚フェンス
１６    商品仕切り用ワイヤー
１７    収納部
１７ａ    深底部
１７ｂ    浅底部
１７ｃ    端板
１８    カバー
１９    デッキ下レール
２０    エンドフレーム
２０ａ   下側エンドフレームの上端
【図１】
2007295992.tif 000003
【図２】
2007295992.tif 000004
【図３】
2007295992.tif 000005